(57)【要約】【課題】移動無線端末がアイドルモードにあるときの位置を簡単なシステム構成で管理する。【解決手段】ページングコントローラ１により、割り当てられたページングエリアに在圏する無線基地局に移動端末３０が初めて無線接続されるときに、同移動端末３０が配下の端末として固定的に位置登録される。アイドルモードにある移動端末３０がページングコントローラ２の配下に移動して無線基地局に無線接続され、同移動端末３０からページングコントローラ１のＩＤを含む位置更新通知が送出されたとき、同位置更新通知が同ページングコントローラ２により中継集約装置３へ転送される。中継集約装置３により、ページングコントローラ２から転送された位置更新通知に含まれるＩＤに基づいてページングコントローラ１のＩＤテーブルが検索され、この検索結果に基づいて同位置更新通知が同位置更新通知に含まれるＩＤに対応するページングコントローラ１へ転送される。【選択図】図１
2010011235.tif 000002
【特許請求の範囲】
【請求項１】
割り当てられたページングエリアに在圏する無線基地局に移動無線端末が初めて無線接続されたとき、該移動無線端末を配下の端末として位置登録する複数の第１のページングコントローラと、
アイドルモードにある前記移動無線端末が配下に移動して該移動無線端末から前記位置登録されている前記第１のページングコントローラのＩＤを含む位置更新通知が送出されたとき、該位置更新通知を中継集約装置へ転送する複数の第２のページングコントローラとを有し、
前記中継集約装置は、
あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する構成とされていることを特徴とする移動無線端末管理システム。
【請求項２】
割り当てられたページングエリアに在圏する無線基地局に移動無線端末が初めて無線接続される初期ネットワークエントリー時に該移動無線端末を配下の端末として固定的に位置登録する複数の第１のページングコントローラと、
アイドルモードにある前記移動無線端末が配下に移動して無線基地局に無線接続され、前記移動無線端末から前記位置登録されている前記第１のページングコントローラのＩＤを含む位置更新通知が送出されたとき、該位置更新通知を中継集約装置へ転送する複数の第２のページングコントローラとを有し、
前記中継集約装置は、
あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する構成とされていることを特徴とする移動無線端末管理システム。
【請求項３】
前記各第１のページングコントローラ及び前記各第２のページングコントローラは、
それぞれ所定数の無線基地局をグルーピングしたページンググループを管理する構成とされていることを特徴とする請求項２記載の移動無線端末管理システム。
【請求項４】
前記各第２のページングコントローラは、
割り当てられた他のページングエリアに在圏する無線基地局に他の移動無線端末が初めて無線接続される初期ネットワークエントリー時に該移動無線端末を配下の端末として固定的に位置登録する構成とされ、
前記各第１のページングコントローラは、
アイドルモードにある前記他の移動無線端末が配下に移動して該移動無線端末から前記位置登録されている前記第２のページングコントローラのＩＤを含む位置更新通知が送出されたとき、該位置更新通知を前記中継集約装置へ転送する構成とされ、
前記中継集約装置は、
あらかじめ前記各第２のページングコントローラのＩＤテーブルを集約して保持し、前記第１のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第２のページングコントローラへ転送する構成とされていることを特徴とする請求項２又は３記載の移動無線端末管理システム。
【請求項５】
前記中継集約装置と同等の複数の中継集約装置がネットワーク上に設けられ、
前記各中継集約装置は、
他の中継集約装置に対する経路情報を集約して保持し、該経路情報に基づいて前記位置更新通知の中継を前記他の中継集約装置へ委譲する構成とされていることを特徴とする請求項２、３又は４記載の移動無線端末管理システム。
【請求項６】
複数の第１のページングコントローラと、複数の第２のページングコントローラと、中継集約装置とを備えてなる移動無線端末管理システムに用いられる移動無線端末管理方法であって、
前記複数の第１のページングコントローラが、割り当てられたページングエリアに在圏する無線基地局に移動無線端末が初めて無線接続されたとき、該移動無線端末を配下の端末として位置登録する位置登録処理と、
前記複数の第２のページングコントローラが、アイドルモードにある前記移動無線端末が配下に移動して該移動無線端末から前記位置登録されている前記第１のページングコントローラのＩＤを含む位置更新通知が送出されたとき、該位置更新通知を中継集約装置へ転送する第１の位置更新通知転送処理と、
前記中継集約装置が、あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する第２の位置更新通知転送処理と行うことを特徴とする移動無線端末管理方法。
【請求項７】
複数の第１のページングコントローラと、複数の第２のページングコントローラと、中継集約装置とを備えてなる移動無線端末管理システムに用いられる移動無線端末管理方法であって、
前記複数の第１のページングコントローラが、割り当てられたページングエリアに在圏する無線基地局に移動無線端末が初めて無線接続される初期ネットワークエントリー時に該移動無線端末を配下の端末として固定的に位置登録する位置登録処理と、
前記複数の第２のページングコントローラが、アイドルモードにある前記移動無線端末が配下に移動して無線基地局に無線接続され、前記移動無線端末から前記位置登録されている前記第１のページングコントローラのＩＤを含む位置更新通知が送出されたとき、該位置更新通知を中継集約装置へ転送する第１の位置更新通知転送処理と、
前記中継集約装置が、あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する第２の位置更新通知転送処理と行うことを特徴とする移動無線端末管理方法。
【請求項８】
前記各第１のページングコントローラ及び前記各第２のページングコントローラが、それぞれ所定数の無線基地局をグルーピングしたページンググループを管理することを特徴とする請求項７記載の移動無線端末管理方法。
【請求項９】
前記各第２のページングコントローラが、割り当てられた他のページングエリアに在圏する無線基地局に他の移動無線端末が初めて無線接続される初期ネットワークエントリー時に該移動無線端末を配下の端末として固定的に位置登録する他の位置登録処理と、
前記各第１のページングコントローラが、アイドルモードにある前記他の移動無線端末が配下に移動して該移動無線端末から前記位置登録されている前記第２のページングコントローラのＩＤを含む位置更新通知が送出されたとき、該位置更新通知を前記中継集約装置へ転送する第３の位置更新通知転送処理と、
前記中継集約装置が、あらかじめ前記各第２のページングコントローラのＩＤテーブルを集約して保持し、前記第１のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第２のページングコントローラへ転送する第４の位置更新通知転送処理とを行うことを特徴とする請求項７又は８記載の移動無線端末管理方法。
【請求項１０】
前記中継集約装置と同等の複数の中継集約装置をネットワーク上に設け、
前記各中継集約装置が、他の中継集約装置に対する経路情報を集約して保持し、該経路情報に基づいて前記位置更新通知の中継を前記他の中継集約装置へ委譲することを特徴とする請求項７、８又は９記載の移動無線端末管理方法。
【請求項１１】
請求項１乃至５のいずれか一に記載の移動無線端末管理システムに用いられる中継集約装置
【発明の詳細な説明】
【技術分野】
【０００１】
この発明は、移動無線端末管理システム、該システムに用いられる移動無線端末管理方法及び中継集約装置に係り、特に、携帯電話機などの移動無線端末がアイドルモードにあるときの位置を管理する場合に用いて好適な移動無線端末管理システム、該システムに用いられる移動無線端末管理方法及び中継集約装置に関する。
【背景技術】
【０００２】
携帯電話機などの移動無線端末がアイドルモードにあるとき、ネットワーク側からノーマルモードへの状態遷移（たとえば、待受け状態から着信状態へ遷移）を指示する必要がある場合、全ての無線基地局から対象の移動無線端末へ無線報知メッセージ（ページングメッセージ）を送信すると、煩雑な処理が必要となり、効率が良くない。そこで、いくつかの無線基地局をグループ化してページング（無線報知）するためのページンググループを構成し、移動無線端末が属するページンググループを管理することで、ページングメッセージの送信範囲が対象のページンググループのみに絞り込まれる。この場合、各ページンググループの制御を一つの制御装置で行うことは、制御装置のスケーラビリティの面で問題があるため、複数の制御装置（ページングコントローラ）により、それぞれ対象となるページンググループが管理される。各ページンググループでは、同装置を直接管理するページングコントローラのみが認識されていれば良い。通常、無線基地局を制御する上位装置が、同無線基地局の属するページンググループを管理するページングコントローラの役割を兼ねる。
【０００３】
また、移動無線端末が無線基地局に初めて無線接続される初期ネットワークエントリー時に属したページンググループを管理するページングコントローラをアンカーページングコントローラと呼び、特定の場合を除き、同アンカーページングコントローラは、この移動無線端末が、別のページングコントローラに管理されているページンググループへ移動した場合も変更されず、同移動無線端末の位置情報を管理し続ける。この場合、移動無線端末がアイドルモードのまま、ページンググループを跨がるように移動すると、同移動無線端末は、位置を管理するページングコントローラに対して位置更新通知を届ける必要があるが、移動先のページンググループを管理するページングコントローラと、同移動無線端末の位置を管理するページングコントローラ（アンカー）とが異なる場合、移動先のページングコントローラは、アンカーへ位置更新通知を転送する必要がある。ところが、各ページングコントローラがアンカーとなり得る全てのページングコントローラに対する経路情報を保持すると仮定すると、大容量の経路情報テーブル、及び同経路情報テーブルを検索するための膨大な時間が必要となり、実行は困難である。
【０００４】
この種の関連する技術としては、たとえば、特許文献１に記載された組合せモバイルＩＰシステムがある。
この組合せモバイルＩＰシステムは、モバイルノードと相互に通信するためのメインサーバを有するホームエージェントと、同モバイルノード及びホームエージェント間の相互通信を中継するフォリンエージェントとを有している。同フォリンエージェントは、ホームエージェントと相互に通信する少なくとも一つの制御フォリンエージェント、及び同制御フォリンエージェントと相互に通信する少なくとも一つのページングフォリンエージェントから構成された少なくとも一つの地域領域を含む。
【特許文献１】特開２００４−０４０７５５号公報（要約書、図２）
【発明の開示】
【発明が解決しようとする課題】
【０００５】
しかしながら、上記文献に記載された技術では、次のような問題点があった。
すなわち、特許文献１に記載された組合せモバイルＩＰシステムでは、従来のモバイルＩＰシステムに比べて、効率及び運用経費の面で改善されるが、この発明とは構成が異なる。
【０００６】
この発明は、上述の事情に鑑みてなされたもので、携帯電話機などの移動無線端末がアイドルモードにあるときの位置を簡単な構成で管理可能な移動無線端末管理システム、該システムに用いられる移動無線端末管理方法及び中継集約装置を提供することを目的としている。
【課題を解決するための手段】
【０００７】
上記課題を解決するために、この発明の第１の構成は、移動無線端末管理システムに係り、割り当てられたページングエリアに在圏する無線基地局に移動無線端末が初めて無線接続されたとき、該移動無線端末を配下の端末として位置登録する複数の第１のページングコントローラと、アイドルモードにある前記移動無線端末が配下に移動して該移動無線端末から前記位置登録されている前記第１のページングコントローラのＩＤを含む位置更新通知が送出されたとき、該位置更新通知を中継集約装置へ転送する複数の第２のページングコントローラとを有し、前記中継集約装置は、あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する構成とされていることを特徴としている。
【０００８】
この発明の第２の構成は、複数の第１のページングコントローラと、複数の第２のページングコントローラと、中継集約装置とを備えてなる移動無線端末管理システムに用いられる移動無線端末管理方法に係り、前記複数の第１のページングコントローラが、割り当てられたページングエリアに在圏する無線基地局に移動無線端末が初めて無線接続されたとき、該移動無線端末を配下の端末として位置登録する位置登録処理と、前記複数の第２のページングコントローラが、アイドルモードにある前記移動無線端末が配下に移動して該移動無線端末から前記位置登録されている前記第１のページングコントローラのＩＤを含む位置更新通知が送出されたとき、該位置更新通知を中継集約装置へ転送する第１の位置更新通知転送処理と、前記中継集約装置が、あらかじめ前記各第１のページングコントローラのＩＤテーブルを集約して保持し、前記各第２のページングコントローラから転送された前記位置更新通知に含まれる前記ＩＤに基づいて前記ＩＤテーブルを検索し、この検索結果に基づいて前記位置更新通知を該位置更新通知に含まれる前記ＩＤに対応する前記第１のページングコントローラへ転送する第２の位置更新通知転送処理と行うことを特徴としている。
【発明の効果】
【０００９】
この発明の構成によれば、中継集約装置にて、各ページングコントローラのＩＤテーブルが集約されて保持され、第２のページングコントローラから転送された位置更新通知に含まれるＩＤに基づいて同ＩＤテーブルが検索され、この検索結果に基づいて上記位置更新通知が同位置更新通知に含まれるＩＤに対応する第１のページングコントローラへ転送されるので、各ページングコントローラが他のページングコントローラに対する経路情報を保持する必要がなく、ネットワークに多数のページングコントローラが設けられていても、移動無線端末の移動に円滑に対応することができる。
【発明を実施するための最良の形態】
【００１０】
割り当てられたページングエリアに在圏する無線基地局に移動無線端末が初めて無線接続される初期ネットワークエントリー時に該移動無線端末を配下の端末として固定的に位置登録する複数の第１のページングコントローラと、アイドルモードにある上記移動無線端末が配下に移動して無線基地局に無線接続され、上記移動無線端末から上記位置登録されている上記第１のページングコントローラのＩＤを含む位置更新通知が送出されたとき、該位置更新通知を中継集約装置へ転送する複数の第２のページングコントローラとを有し、上記中継集約装置は、あらかじめ上記各第１のページングコントローラのＩＤテーブルを集約して保持し、上記各第２のページングコントローラから転送された上記位置更新通知に含まれる上記ＩＤに基づいて上記ＩＤテーブルを検索し、この検索結果に基づいて上記位置更新通知を該位置更新通知に含まれる上記ＩＤに対応する上記第１のページングコントローラへ転送する構成とされている移動無線端末管理システムを提供する。
【００１１】
また、この発明では、上記各第１のページングコントローラ及び上記各第２のページングコントローラは、それぞれ所定数の無線基地局をグルーピングしたページンググループを管理する構成とされている。
【００１２】
また、この発明では、上記各第２のページングコントローラは、割り当てられた他のページングエリアに在圏する無線基地局に他の移動無線端末が初めて無線接続される初期ネットワークエントリー時に該移動無線端末を配下の端末として固定的に位置登録する構成とされ、上記各第１のページングコントローラは、アイドルモードにある上記他の移動無線端末が配下に移動して該移動無線端末から上記位置登録されている上記第２のページングコントローラのＩＤを含む位置更新通知が送出されたとき、該位置更新通知を上記中継集約装置へ転送する構成とされ、上記中継集約装置は、あらかじめ上記各第２のページングコントローラのＩＤテーブルを集約して保持し、上記第１のページングコントローラから転送された上記位置更新通知に含まれる上記ＩＤに基づいて上記ＩＤテーブルを検索し、この検索結果に基づいて上記位置更新通知を該位置更新通知に含まれる上記ＩＤに対応する上記第２のページングコントローラへ転送する構成とされている。
【００１３】
また、この発明では、上記中継集約装置と同等の複数の中継集約装置がネットワーク上に設けられ、上記各中継集約装置は、他の中継集約装置に対する経路情報を集約して保持し、該経路情報に基づいて上記位置更新通知の中継を上記他の中継集約装置へ委譲する構成とされている。
【実施例１】
【００１４】
図１は、この発明の第１の実施例である移動無線端末管理システムの要部の電気的構成を示すブロック図である。
この例の移動無線端末管理システムは、同図に示すように、ページングコントローラ１，２と、中継集約装置３と、ページングコントローラ４，５，６，７とから構成されている。
ページングコントローラ（アンカー）１は、割り当てられたページングエリア（位置登録エリア）に在圏する無線基地局（以下、「基地局」ともいう）に移動無線端末が初めて無線接続される初期ネットワークエントリー時に同移動無線端末を配下の端末として固定的に位置登録する。特に、この実施例では、ページングコントローラ１は、基地局１１，１２，１３をページングエリアｐａ内でグルーピングしたページンググループＡ、及び基地局１４，１５をページングエリアｐｂ内でグルーピングしたページンググループＢを管理する。また、移動端末（移動無線端末）３０は、たとえば携帯電話機であり、ページングコントローラ１の配下にある。
【００１５】
ページングコントローラ（リレー）２は、中継集約装置３への経路情報を保持し、アイドルモードにある移動端末３０が配下に移動して無線基地局に無線接続され、同移動端末３０から、位置登録されているページングコントローラ１のＩＤを含む位置更新通知が送出されたとき、同位置更新通知を中継集約装置３へ転送する。特に、この実施例では、ページングコントローラ２は、基地局２１，２２をページングエリアｐｃ内でグルーピングしたページンググループＣを管理する。また、ページングコントローラ２は、ページングコントローラ１と同様に、割り当てられたページングエリアｐｃに在圏する無線基地局に移動無線端末が初めて無線接続される初期ネットワークエントリー時に同移動無線端末を配下の端末として固定的に位置登録する。
【００１６】
また、ページングコントローラ１は、ページングコントローラ２と同様に、中継集約装置３への経路情報を保持し、アイドルモードにある移動無線端末が配下に移動して同移動無線端末から位置登録されているページングコントローラ２のＩＤを含む位置更新通知が送出されたとき、同位置更新通知を中継集約装置３へ転送する。ページングコントローラ４，５，６，７も、上記ページングコントローラ１，２と同様の機能を有している。また、ページングコントローラ１，２と同様の図示しないページングコントローラが多数設けられている。上記各無線基地局は、割り当てられたセル内で該当のページングエリアを表す報知メッセージを同セル内に在圏する移動無線端末に対して送信する。
【００１７】
中継集約装置３は、あらかじめ各ページングコントローラのＩＤテーブルを集約して保持し、たとえばページングコントローラ２から転送された位置更新通知に含まれるＩＤに基づいて上記ＩＤテーブルを検索し、この検索結果に基づいて上記位置更新通知を同位置更新通知に含まれるＩＤに対応するページングコントローラ（たとえば、ページングコントローラ１）へ転送する。また、中継集約装置３は、たとえばページングコントローラ１から転送された位置更新通知に含まれるＩＤに基づいて上記ＩＤテーブルを検索し、この検索結果に基づいて上記位置更新通知を同位置更新通知に含まれるＩＤに対応するページングコントローラ（たとえば、ページングコントローラ２）へ転送する。また、中継集約装置３は、図示しない関門移動通信交換局などを介して一般電話回線網に接続されている。
【００１８】
図２は、図１の移動無線端末管理システムの動作を説明するシーケンス図、及び図３が、中継集約装置３に保持されている各ページングコントローラのＩＤテーブルを示す図である。
これらの図を参照して、この例の移動無線端末管理システムに用いられる移動無線端末管理方法の処理内容について説明する。
この移動無線端末管理システムでは、ページングコントローラ１により、割り当てられたページングエリアに在圏する無線基地局に移動端末３０が初めて無線接続される初期ネットワークエントリー時に、同移動端末３０が配下の端末として固定的に位置登録される（位置登録処理）。
【００１９】
アイドルモードにある移動端末３０がページングコントローラ２の配下に移動して無線基地局に無線接続され、同移動端末３０から上記位置登録されているページングコントローラ１のＩＤを含む位置更新通知が送出されたとき、同位置更新通知が同ページングコントローラ２により中継集約装置３へ転送される（第１の位置更新通知転送処理）。中継集約装置３により、ページングコントローラ２から転送された位置更新通知に含まれるＩＤに基づいてページングコントローラ１のＩＤテーブルが検索され、この検索結果に基づいて同位置更新通知が同位置更新通知に含まれるＩＤに対応するページングコントローラ１へ転送される（第２の位置更新通知転送処理）。また、ページングコントローラ１により、基地局１１，１２，１３をページングエリアｐａ内でグルーピングしたページンググループＡが管理されると共に、基地局１４，１５をページングエリアｐｂ内でグルーピングしたページンググループＢが管理される。また、ページングコントローラ２により、無線基地局２１，２２をページングエリアｐｃ内でグルーピングしたページンググループＣが管理される。
【００２０】
すなわち、図２に示すように、移動端末３０は、ページンググループＢの無線基地局の配下にてアイドルモードにあり、同ページンググループＢを管理するページングコントローラ１が同移動端末３０を位置登録するアンカーとなっている。この場合、移動端末３０では、ページンググループＢのページングエリアｐｂを示すエリア番号が記憶されている。移動端末３０は、アイドルモードを維持した状態で、ページンググループＢの無線基地局の配下からページンググループＣの無線基地局の配下へ移動する（ステップＳ１）。移動端末３０では、ページンググループＣの無線基地局を経てページングエリアｐｃを表す報知メッセージが受信され、同ページングエリアｐｃを示すエリア番号とページングエリアｐｂを示すエリア番号とが照合される。移動端末３０では、この照合結果が不一致の場合、ページンググループ間を移動したことが認識され、位置登録されているページングコントローラ１のＩＤを含む位置更新通知が、ページンググループＣの同移動端末３０が無線接続されている無線基地局へ送出される（ステップＳ２）。
【００２１】
この位置更新通知は、無線基地局を経てページングコントローラ２へ転送され（ステップＳ３）、さらに、同ページングコントローラ２から経路情報に基づいて中継集約装置３へ転送される（ステップＳ４）。中継集約装置３では、ページングコントローラ２から位置更新通知のアンカーへの中継が要求されると、図３に示す各ページングコントローラのＩＤに対応した経路情報テーブル（“Ｐａｇｉｎｇ  Ｃｏｎｔｒｏｌｌｅｒ  ＩＤ”，“ＩＰ  Ａｄｒｅｓｓ”）が検索され、同位置更新通知が同位置更新通知に含まれるＩＤに対応する対象のページングコントローラ１へ転送される（ステップＳ５）。ページングコントローラ１では、位置更新通知が受信され、登録されている移動端末３０の位置情報が更新され、同移動端末３０がページンググループＣの配下にあることが記録される。
【００２２】
以上のように、この第１の実施例では、中継集約装置３にて、各ページングコントローラのＩＤテーブルが保持され、ページングコントローラ２から転送された位置更新通知に含まれるＩＤに基づいて同ＩＤテーブルが検索され、この検索結果に基づいて上記位置更新通知が同位置更新通知に含まれるＩＤに対応するページングコントローラ１へ転送されるので、各ページングコントローラが他のページングコントローラに対する経路情報を保持する必要がなく、ネットワークに多数のページングコントローラが設けられていても、簡単な構成で移動端末３０の移動に円滑に対応することができる。
【実施例２】
【００２３】
図４は、この発明の第２の実施例である移動無線端末管理システムの電気的構成を示すブロック図であり、第１の実施例を示す図１中の要素と共通の要素には共通の符号が付されている。
この例の移動無線端末管理システムでは、同図４に示すように、図１のシステムの構成に加え、中継集約装置３と同等の中継集約装置４３がネットワーク上に設けられ、同中継集約装置４３に、ページングコントローラ１，２と同等のページングコントローラ４１，４２，４４，４５，４６，４７が接続されている。また、中継集約装置３，４３と同様の図示しない中継集約装置が多数設けられている。これらの各中継集約装置は、他の中継集約装置に対する経路情報を集約して保持し、同経路情報に基づいて位置更新通知の中継を上記他の中継集約装置へ委譲する。
【００２４】
図５は、図４中の中継集約装置３，４３に保持されているページングコントローラの経路情報の例を示す図である。
中継集約装置３，４３が保持しているページングコントローラの経路情報は、当該中継集約装置に固有のプレフィックス（接頭語）をページングコントローラＩＤに付加することにより、構成されている。たとえば、図５に示すように、中継集約装置３には、プレフィックス［１１：２２：３３］が設定され、保持されているページングコントローラの経路情報は、“Ｐａｇｉｎｇ  Ｃｏｎｔｒｏｌｌｅｒ  ＩＤ：［１１：２２：３３］：００：００：０１”、及び“Ｐａｇｉｎｇ  Ｃｏｎｔｒｏｌｌｅｒ  ＩＤ：［１１：２２：３３］：００：００：０２”などである。
【００２５】
また、中継集約装置４３には、プレフィックス［４４：５５：６６］が設定され、保持されているページングコントローラの経路情報は、“Ｐａｇｉｎｇ  Ｃｏｎｔｒｏｌｌｅｒ  ＩＤ：［４４：５５：６６］：００：００：０１”、“Ｐａｇｉｎｇ  Ｃｏｎｔｒｏｌｌｅｒ  ＩＤ：［４４：５５：６６］：００：００：０２”、及び“Ｐａｇｉｎｇ  Ｃｏｎｔｒｏｌｌｅｒ  ＩＤ：［４４：５５：６６］：００：００：０３”などである。
また、中継集約装置４３には、設定されているプレフィックス［４４：５５：６６］をページングコントローラＩＤのプレフィックスとしてもつページングコントローラへの経路情報、及び他の中継集約装置３への経路情報が保持されている。これにより、中継集約装置４３は、プレフィックス［１１：２２：３３］が付加されているＩＤをもつページングコントローラへの経路情報を保持する必要がなく、同ページングコントローラへ情報を転送する場合は、中継集約装置３へ任せるだけで良い。
【００２６】
以上のように、この第２の実施例では、各中継集約装置が、他の中継集約装置に対する経路情報を集約して保持し、同経路情報に基づいて位置更新通知の中継を他の中継集約装置へ委譲するので、ネットワークに多数のページングコントローラが設けられていても、簡単な構成で移動端末３０の移動に円滑に対応することができる。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記第１の実施例では、移動端末３０が初期ネットワークエントリー時にページングコントローラ１の配下の端末として位置登録されるが、ページングコントローラ２の配下の端末として位置登録されるようにしても良く、この場合、移動端末３０の位置更新通知は、ページングコントローラ１から中継集約装置３を経てページングコントローラ２へ転送される（請求項４又は９に対応）。また、上記第２の実施例では、ネットワーク上に中継集約装置４３が設けられているが、さらに同等の中継集約装置を追加しても良い。また、第２の実施例では、また、特定のページングコントローラが中継集約装置の役割を兼ねるようにしても良い。
【産業上の利用可能性】
【００２８】
この発明は、携帯電話機の位置管理に限らず、たとえばＰＨＳ（Personal Handyphone System）など、アイドルモードにある移動無線端末の位置を管理する場合に適用できる。
【図面の簡単な説明】
【００２９】
【図１】この発明の第１の実施例である移動無線端末管理システムの要部の電気的構成を示すブロック図である。
【図２】図１の移動無線端末管理システムの動作を説明するシーケンス図である。
【図３】中継集約装置３に保持されている各ページングコントローラのＩＤテーブルを示す図である。
【図４】この発明の第２の実施例である移動無線端末管理システムの電気的構成を示すブロック図である。
【図５】図４中の中継集約装置３，４３に保持されているページングコントローラの経路情報の例を示す図である。
【符号の説明】
【００３０】
１，２，４，５，６，７，４１，４２，４４，４５，４６，４７      ページングコントローラ
３，４３      中継集約装置
１１，１２，１３，１４，１５，２１，２２      基地局（無線基地局）
３０      移動端末（移動無線端末）
ｐａ，ｐｂ，ｐｃ      ページングエリア
Ａ，Ｂ      ページンググループ
【図１】
2010011235.tif 000003
【図２】
2010011235.tif 000004
【図３】
2010011235.tif 000005
【図４】
2010011235.tif 000006
【図５】
2010011235.tif 000007